(57)【要約】【課題】各キャリア信号の受信レベルが異なる場合でも適正な感度で受信可能にする。【解決手段】複数のキャリア信号が分割多重されたマルチキャリア信号を受信してデジタル信号処理により復調するマルチキャリア受信機において、受信されたマルチキャリア信号の受信レベルを調整する可変減衰器２と複数のキャリア信号を順に抽出するための切替信号を発生するタイミング発生器１２と、発生された切替信号にしたがって、可変減衰器２によりレベル調整されたマルチキャリア信号から複数のキャリア信号をそれぞれ抽出する複数のＬＰＦ８１，８２と、抽出された複数のキャリア信号の受信レベルをそれぞれ検出する複数の検波器１０１，１０２と、切替信号に同期して、上記検出された複数のキャリア信号の受信レベルに応じて可変減衰器２の減衰量を制御する減衰器制御部１１とを備える。【選択図】      図１
2010028475.tif 000002
【特許請求の範囲】
【請求項１】
複数のキャリア信号が分割多重されたマルチキャリア信号を受信してデジタル信号処理により復調するマルチキャリア受信機であって、
前記受信されたマルチキャリア信号の受信レベルを調整する調整器と
前記複数のキャリア信号を順に抽出するための切替信号を発生するタイミング発生器と、
前記発生された切替信号にしたがって、前記調整器によりレベル調整されたマルチキャリア信号から前記複数のキャリア信号をそれぞれ抽出する複数のフィルタ手段と、
前記抽出された複数のキャリア信号の受信レベルをそれぞれ検出する複数の検出手段と、
前記切替信号に同期して、前記検出された複数のキャリア信号の受信レベルに応じて前記調整器の調整量を制御する制御部と
を具備することを特徴とするマルチキャリア受信機。
【請求項２】
前記制御部は、前記検出された複数のキャリア信号の受信レベルがそれぞれ基準レベルになるように前記調整量を制御することをさらに特徴とする請求項１記載のマルチキャリア受信機。
【発明の詳細な説明】
【技術分野】
【０００１】
この発明は、周波数分割多重方式の通信システムに用いられるマルチキャリア受信機に関する。
【背景技術】
【０００２】
従来、マルチキャリア受信機において、高周波回路部分に減衰器（attenuator）を設け、検波器により検出された受信信号のレベルが大きい場合には減衰器の減衰量を大きくし、受信レベルが小さい場合は減衰量を小さくすることで、受信信号の受信範囲を拡大していた。
【０００３】
ところが、上記手法では、減衰器の減衰量を一括で制御していたため、各キャリア信号の受信レベルの差がそのまま後段に影響してしまい、受信感度の劣化が生じるという問題があった。
【０００４】
なお、本願に関連する公知文献としては、例えば次のようなものがある（特許文献１または２を参照。）。
【特許文献１】特開２００７−３００１９５公報
【特許文献２】特開２００７−２２１２９７公報
【発明の開示】
【発明が解決しようとする課題】
【０００５】
上述したように、従来の受信機では、減衰器の減衰量を一括で制御していたため、各キャリア信号の受信レベルの差がそのまま後段に影響してしまい、受信感度の劣化が生じるという問題があった。
【０００６】
この発明は上記事情に着目してなされたもので、その目的とするところは、各キャリア信号の受信レベルが異なる場合でも、それぞれを適正な感度で受信できるようにするマルチキャリア受信機を提供することにある。
【課題を解決するための手段】
【０００７】
上記目的を達成するためにこの発明に係わるマルチキャリア受信機は、複数のキャリア信号が分割多重されたマルチキャリア信号を受信してデジタル信号処理により復調するマルチキャリア受信機であって、前記受信されたマルチキャリア信号の受信レベルを調整する調整器と前記複数のキャリア信号を順に抽出するための切替信号を発生するタイミング発生器と、前記発生された切替信号にしたがって、前記調整器によりレベル調整されたマルチキャリア信号から前記複数のキャリア信号をそれぞれ抽出する複数のフィルタ手段と、前記抽出された複数のキャリア信号の受信レベルをそれぞれ検出する複数の検出手段と、前記切替信号に同期して、前記検出された複数のキャリア信号の受信レベルに応じて前記調整器の調整量を制御する制御部とを具備する。
【発明の効果】
【０００８】
したがってこの発明によれば、各キャリア信号の受信レベルが異なる場合でも、それぞれを適正な感度で受信できるようにするマルチキャリア受信機を提供することができる。
【発明を実施するための最良の形態】
【０００９】
以下、図面を参照しながら本発明の実施の形態を詳細に説明する。  
図１は、この発明に係るマルチキャリア受信機の一実施形態を示す構成図である。図２は、受信信号の状態を示すタイミングチャートである。また、図３に、マルチキャリア信号の一例を示す。本実施形態では、図３に示すように、この受信機は周波数が互いに異なる２つのキャリア信号（以下、キャリア信号１及びキャリア信号２と称する。）が分割多重されたマルチキャリア信号を受信するものとする。なお、キャリア数は、任意に選択可能である。
【００１０】
低雑音増幅器（ＬＮＡ）１は、アンテナ（図示せず）に到来した無線周波数（ＲＦ：Radio Frequency）信号から受信信号の選択及び増幅を行い、受信信号のレベル（受信電界強度）が大きい場合には後述する減衰器制御部１１の制御により、可変減衰器（Ｖ−ＡＴＴ）２において受信レベルが減衰される。減衰された受信信号は、ダウンコンバータ（Ｄ／Ｃ）３で中間周波数に変換されたのち、さらにＡ／Ｄ変換回路（ＡＤＣ）４においてサンプリングによりデジタル信号に変換され、デジタル信号処理部１００に入力される。
【００１１】
デジタル信号処理部１００において、タイミング発生器（ＴＭＧ  ＧＥＮ）１２は、図２に示すように。キャリア信号１及びキャリア信号２を順に抽出するための一定の切替信号を発生する。セレクタ（ＳＥＬ）５は、図２のように、この切替信号にしたがって、デジタル変換されたマルチキャリア信号をセレクタ出力１及びセレクタ出力２から交互に補間回路（ＩＮＴＰ）６１，６２に入力する。補間回路（ＩＮＴＰ）６１，６２は、セレクタ５から入力されるマルチキャリア信号の周波数レートを戻すための補間処理を行う。上記マルチキャリア信号は、ダウンコンバータ（Ｄ／Ｃ）７１，７２を介して所定の低い周波数に変換されたのち、ローパスフィルタ（ＬＰＦ）８１，８２でキャリア信号１、キャリア信号２がそれぞれ抽出される。上記抽出されたキャリア信号１及びキャリア信号２は、復調部（ＤＥＭ）９１，９２においてそれぞれベースバンド信号に復調される。
【００１２】
検波器（ＰＯＷＥＲ  ＤＥＴ）１０１，１０２は、ローパスフィルタ８１，８２で抽出されたキャリア信号１及びキャリア信号２の受信レベルをそれぞれ検出する。減衰器制御部１１は、検波器１０１，１０２で検出されたキャリア信号１及びキャリア信号２の受信レベルが基準レベルになるように、キャリア信号１及びキャリア信号２のそれぞれに対応する減衰量を算出する。例えば、図３に示すように、各減衰量は、キャリア信号１及びキャリア信号２のそれぞれの受信レベルと基準レベルとの差、つまりｘｄＢ、ｙｄＢと求められる。減衰器制御部１１は、上記算出された各信号に対応する減衰量を上記タイミング発生器１２により発生された切替信号に同期させて可変減衰器２に出力し、可変減衰器２を制御する。
【００１３】
例えば、キャリア信号１の受信レベルに比べてキャリア信号２の受信レベルが小さい場合に、単純にキャリア信号１の受信レベルを基準レベルに合わせるように一括して減衰量を制御すると、キャリア信号２の受信感度が劣化してしまう。一方、キャリア信号２の受信レベルを基準レベルに合わせるように一括して減衰量を制御すると、キャリア信号２の受信レベルが強すぎて正常に受信することができない。
【００１４】
これに対し、本実施形態のマルチキャリア受信機では、図３に示したように、減衰器制御部１１は、キャリア信号１に対応する減衰量ｘｄＢと、キャリア信号２に対応する減衰量ｙｄＢとを算出し、上述した切替信号に同期してこの減衰量ｘｄＢとｙｄＢとを切り替えて可変減衰器２を制御するようにしている。図４（ａ）は、補間回路６１から出力されるマルチキャリア信号であり、図４（ｂ）は、補間回路６２から出力されるマルチキャリア信号である。図４に示すように、キャリア信号１及びキャリア信号２がそれぞれ基準レベルに調整された状態で抽出される。これにより、図３のようにキャリア信号１の受信レベルに比べてキャリア２の受信レベルが小さい場合でも、各キャリアの受信レベルに応じた減衰処理が行われるため、各キャリア信号を適正な感度で受信することが可能となる。
【００１５】
なお、この発明は上記実施形態そのままに限定されるものではない。例えば、可変減衰器２の構成例を図５に示す。可変減衰器２は、図５（ａ）のように一体型に構成してもよいし、図５（ｂ）のように、複数のキャリア信号のそれぞれに対応する複数の可変減衰器を配置し、複数の可変減衰器からの出力をアナログスイッチにより切替信号にしたがって選択的に出力する構成とすることもできる。
【００１６】
すなわち、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【図面の簡単な説明】
【００１７】
【図１】この発明に係るマルチキャリア受信機の一実施形態を示す構成図。
【図２】図１の受信機における受信信号の状態を示すタイミングチャート。
【図３】図１の受信機に入力されるマルチキャリア信号の一例を示す図。
【図４】補間回路から出力されるマルチキャリア信号の受信レベルを示す図。
【図５】可変減衰器の構成例を示す図。
【符号の説明】
【００１８】
１…低雑音増幅器、２…可変減衰器、３…ダウンコンバータ、４…Ａ／Ｄ変換器、５…セレクタ、６１，６２…補間回路、７１，７２…ダウンコンバータ、８１，８２…ローパスフィルタ、９１，９２…復調部、１０１，１０２…検波器、１１…減衰器制御部、１２…タイミング発生器。
【図１】
2010028475.tif 000003
【図２】
2010028475.tif 000004
【図３】
2010028475.tif 000005
【図４】
2010028475.tif 000006
【図５】
2010028475.tif 000007